(57)【要約】【課題】通常のＬＥＤ表示では、表示内容が限定されているとともに、表示を見間違えて誤操作する場合があり、表示内容を分かりやすく伝え、ＬＥＤ表示では表現が難しい内容でも使用者に分かりやすく報知することを目的とする。【解決手段】運転操作部３を操作した場合に、検出手段８は排水タンク２の水位が所定水位以上であることを検出したときは、排水タンク２の水位または運転操作部３の操作に応じた運転情報を音声ガイド装置７で報知することにより、表示内容を分かりやすく伝えて、運転操作部３の操作性を改善するとともに、排水タンク２の水位に応じた使用方法を分かりやすく報知して、便利に使用できる除湿装置が得られる。【選択図】図６
2007275698.tif 000002
【特許請求の範囲】
【請求項１】
除湿装置本体内に設けた除湿手段と、この除湿手段からのドレン水を貯える着脱可能に設けた排水タンクと、この排水タンクの水位を検出する水位検出手段と、前記除湿手段を運転制御する制御部と、この制御部に運転信号を与える運転操作部と、前記制御部に設けた音声ガイド装置を有し、前記運転操作部を操作した場合に、前記検出手段は排水タンクの水位が所定水位以上であることを検出したときは、前記排水タンクの水位または／かつ前記運転操作部の操作に応じた運転情報を前記音声ガイド装置で報知してなる除湿装置。
【請求項２】
運転操作部を操作した場合に、検出手段は排水タンクの満水または排水タンクの収納が不備であることを検出したときは、制御部は除湿手段を駆動せず、前記排水タンクを確認すべきことを音声ガイド装置で報知してなる請求項１記載の除湿装置。
【請求項３】
運転操作部を操作した場合に、検出手段は排水タンクが満水に至らない所定の水位であることを検出したときは、制御部は除湿手段を駆動したのちに、音声ガイド装置で報知してなる請求項１記載の除湿装置。
【請求項４】
運転操作部を操作した場合に、検出手段は排水タンクが満水に至らない所定の水位であることを検出したときは、制御部は除湿手段を駆動する前に、音声ガイド装置で報知してなる請求項１記載の除湿装置。
【請求項５】
運転操作部で自動運転を選択した場合に、制御部は排水タンクの水位に応じた運転時間を自動的に設定するとともに、設定された運転時間を音声ガイド装置で報知してなる請求項３または４記載の除湿装置。
【請求項６】
運転操作部で衣類乾燥運転またはタイマー運転を選択した場合は、排水タンクの排水を促すことを音声ガイド装置で報知してなる請求項３または４記載の除湿装置。
【発明の詳細な説明】
【技術分野】
【０００１】
本発明は、熱交換器で生じたドレン水を排水タンクに貯え、その水位を検出して報知する除湿装置に関する。
【背景技術】
【０００２】
従来、この種の除湿装置は、通常の運転表示や異常状態の表示を操作パネルに設けたＬＥＤで表示するものが知られている（例えば、特許文献１参照）。
【０００３】
以下、その除湿装置について図１２を参照しながら説明する。
【０００４】
図に示すように、本体の上部に設けた操作パネル１０１において、各種のスイッチ１０２Ａ〜１０２Ｅを操作することにより、操作内容および運転状況に対応してＬＥＤ１０３ａ〜１０３ｃ、ＬＥＤ１０４ａ〜１０４ｃ、ＬＥＤ１０５ａ〜１０５ｄおよびＬＥＤ１０６がそれぞれ点灯表示されるものである。
【０００５】
そして、異常検出手段によって異常を検出すると異常モードを実行し、このときスイッチ１０２Ａを操作すると、ＬＥＤ１０３ａ〜１０３ｃ、ＬＥＤ１０４ａ〜１０４ｃ、ＬＥＤ１０５ａを表示させ、２以上の異常を同時に表示するものであった。
【０００６】
また、この種の除湿装置には、図１３に示すように、水位検出手段として凝縮水たまり部２０１のドレン水に接触するサーミスタ２０２や熱電対を用い、報知手段として表示盤２０３の報知ランプ２０４にて表示するものがある。
【０００７】
そして、報知手段として報知ランプ２０４以外に、ブザー、音声合成、文字表示を用いて報知することも可能としている（例えば、特許文献２参照）。
【特許文献１】特開２００４−３１７００３号公報（［００２７］［００２８］、［００３４］、図７、表１）
【特許文献２】特開２０００−１９３２７０号公報（［００１９］、［００２９］、図１）
【発明の開示】
【発明が解決しようとする課題】
【０００８】
このような従来の除湿装置では、通常の運転表示や異常状態の表示をＬＥＤ表示で行っているため、表示内容が限定されているとともに表示を見間違えて誤操作する場合があるという課題があり、表示内容を分かりやすく伝え、ＬＥＤ表示の見間違えがあっても即座に間違いに気付いて正しい操作ができることが要求されている。
【０００９】
また、従来の空調装置の凝縮水水位検出装置では、水位検出手段や報知手段は凝縮水のオーバーフローのときしか作動しないという課題があり、通常の運転時でも水位の状況に応じた使用方法を設定して、その内容を使用者に分かりやすく報知することが要求されている。
【００１０】
本発明は上記従来の課題を解決するものであり、表示内容を分かりやすく伝えて操作パネルの操作性を改善するとともに、運転開始時に凝縮水が所定以上の水位である場合に、その水位に応じた使用方法を分かりやすく報知して、便利に使用できる除湿装置を提供することを目的としている。
【課題を解決するための手段】
【００１１】
本発明の除湿装置は上記目的を達成するために、除湿装置本体内に設けた除湿手段と、この除湿手段からのドレン水を貯える着脱可能に設けた排水タンクと、この排水タンクの水位を検出する水位検出手段と、前記除湿手段を運転制御する制御部と、この制御部に運転信号を与える運転操作部と、前記制御部に設けた音声ガイド装置を有し、前記運転操作部を操作した場合に、前記検出手段は排水タンクの水位が所定水位以上であることを検出したときは、前記排水タンクの水位または／かつ前記運転操作部の操作に応じた運転情報を前記音声ガイド装置で報知してなるものである。
【００１２】
また他の手段は、運転操作部を操作した場合に、検出手段は排水タンクの満水または排水タンクの収納が不備であることを検出したときは、制御部は除湿手段を駆動せず、前記排水タンクを確認すべきことを音声ガイド装置で報知してなるものである。
【００１３】
また他の手段は、運転操作部を操作した場合に、検出手段は排水タンクが満水に至らない所定の水位であることを検出したときは、制御部は除湿手段を駆動したのちに、音声ガイド装置で報知してなるものである。
【００１４】
また他の手段は、運転操作部を操作した場合に、検出手段は排水タンクが満水に至らない所定の水位であることを検出したときは、制御部は除湿手段を駆動する前に、音声ガイド装置で報知してなるものである。
【００１５】
また他の手段は、運転操作部で自動運転を選択した場合に、制御部は排水タンクの水位に応じた運転時間を自動的に設定するとともに、設定された運転時間を音声ガイド装置で報知してなるものである。
【００１６】
また他の手段は、運転操作部で衣類乾燥運転またはタイマー運転を選択した場合は、排水タンクの排水を促すことを音声ガイド装置で報知してなるものである。
【００１７】
これらの手段により表示内容を分かりやすく伝えて操作パネルの操作性を改善するとともに、運転開始時に凝縮水が所定以上の水位である場合に、その水位に応じた使用方法を分かりやすく報知して、便利に使用できる除湿装置が得られる。
【発明の効果】
【００１８】
本発明によれば排水タンクの水位が所定水位以上のときは、使用者は操作時に運転可能または不可能な情報を音声で受けることができ、使用状況に合わせた適正な運転を実施することができるという効果のある除湿装置を提供できる。
【００１９】
また、除湿手段が停止されたとき、音声ガイドの報知により原因箇所を特定することができ、その停止原因を即座に調べて問題を解消し、確実に運転を開始することができる。
【００２０】
また、排水タンクが満水でない場合は、とりあえず除湿運転を開始して、そのあと音声ガイドで確認することにより、除湿運転の待ち時間を短縮することができる。
【００２１】
また、排水タンクが満水でない場合でも、先に音声ガイドで運転条件を確認することにより、排水タンクを空にするなどの準備を充分にしてから、適正な除湿運転を実施することができる。
【００２２】
また、音声ガイドで報知された運転可能時間に基づき、使用者は乾燥すべき衣類の湿り具合などに対して、適正な運転時間かどうかを判断することができる。
【００２３】
また、排水タンクの満水により運転途中で停止にならないよう事前に対応することができ、衣類乾燥や除湿運転の機能を充分に発揮することができる。
【発明を実施するための最良の形態】
【００２４】
本発明の請求項１記載の発明は、除湿装置本体内に設けた除湿手段と、この除湿手段からのドレン水を貯える着脱可能に設けた排水タンクと、この排水タンクの水位を検出する水位検出手段と、前記除湿手段を運転制御する制御部と、この制御部に運転信号を与える運転操作部と、前記制御部に設けた音声ガイド装置を有し、前記運転操作部を操作した場合に、前記検出手段は排水タンクの水位が所定水位以上であることを検出したときは、前記排水タンクの水位または／かつ前記運転操作部の操作に応じた情報を前記音声ガイド装置で報知してなるものであり、排水タンクの水位を複数段階で検出して、その水位段階に応じた運転情報を音声ガイド装置で報知し、また運転操作部の操作に応じた運転情報も合わせて報知できるという作用を有する。
【００２５】
また、運転操作部を操作した場合に、検出手段は排水タンクの満水または排水タンクの収納が不備であることを検出したときは、制御部は除湿手段を駆動せず、前記排水タンクを確認すべきことを音声ガイド装置で報知してなるものであり、運転操作部の操作時に、検出手段が排水タンクの満水または排水タンクの設置不備を検出して除湿手段が停止されたとき、その停止原因を調べる方法を音声ガイドで報知するという作用を有する。
【００２６】
また、運転操作部を操作した場合に、検出手段は排水タンクが満水に至らない所定の水位であることを検出したときは、制御部は除湿手段を駆動したのちに、音声ガイド装置で報知してなるものであり、排水タンクが満水でない場合は、除湿運転が可能であり、先に除湿運転を開始してから、音声ガイドで報知することにより、除湿運転の開始までの待ち時間を短縮できるという作用を有する。
【００２７】
また、運転操作部を操作した場合に、検出手段は排水タンクが満水に至らない所定の水位であることを検出したときは、制御部は除湿手段を駆動する前に、音声ガイド装置で報知してなるものであり、排水タンクが満水でない場合は、除湿運転が可能であるが、先に音声ガイドで運転条件を報知することにより、除湿運転を開始する前に、排水タンクを空にするなどの準備が充分にできるという作用を有する。
【００２８】
また、運転操作部で自動運転を選択した場合に、制御部は排水タンクの水位に応じた運転時間を自動的に設定するとともに、設定された運転時間を音声ガイド装置で報知してなるものであり、自動運転を選択した場合は、排水タンクの水位に応じた運転可能時間を計算して、音声ガイドで使用者に報知するという作用を有する。
【００２９】
また、運転操作部で衣類乾燥運転またはタイマー運転を選択した場合に、排水タンクの排水を促すことを音声ガイド装置で報知してなるものであり、衣類乾燥運転またはタイマー運転では、運転操作時に排水タンクに所定以上の水位があることを検出すれば、音声ガイドで排水するように使用者に報知することにより、除湿運転中に満水で停止とならないようにできるという作用を有する。
【００３０】
以下、本発明の実施の形態について図面を参照しながら説明する。
【００３１】
（実施の形態１）
本発明の実施の形態１について図面を参照しながら説明する。
【００３２】
図１〜図７に示すように、除湿装置の本体１下部には、本体から着脱可能に設けられた排水タンク２が配置されている。除湿装置の本体１の天面には運転切および入スイッチ、タイマー設定スイッチなどの運転操作部３および排水タンク２が満水や排水タンク２の不具合を使用者に伝えるためのＬＥＤを配した運転表示部４が配置されている。除湿装置の本体１内部に設けられた除湿手段５は空気中から水分を奪い、その水分を凝縮水として本体１の下部に設けた排水タンク２に導き貯水している。また本体１内部には、除湿手段５を運転制御するための制御部６および音声ガイド装置７が設けられている。
【００３３】
また図４で示すように、排水タンク２には底面から３分の１の高さの水位を検出するための第１の水位検出手段８として、磁石１１を備えたフロート９が回動軸１０に取付けられており、本体１には磁石１１を検出するための磁気センサー１２が対向して配置されている。
【００３４】
また、排水タンク２には底面から３分の２の高さの水位を検出するための第２の水位検出手段１３として、磁石１６を備えたフロート１４が回動軸１５に取付けられており、本体１には磁石１６を検出するための磁気センサー１７が対向して配置されている。磁気センサー１２は排水タンク２の貯水量の略３分の１を貯水したときに検出するように配置されており、磁気センサー１７は排水タンク２の貯水量の略３分の２を貯水したときに検出するように配置されている。
【００３５】
また排水タンク２の貯水量が満水のときに検出するための第３の水位検出手段１８として、排水タンク２内には磁石２１を備えたフロート１９が回動軸２０に取付けられており、本体１には磁石２１を検出するための磁気センサー２２が、対向するように配置されている。
【００３６】
排水タンク２が満水になるとフロート１９は回動軸２０に対して回動することにより、フロート１９に設けられた磁石２１は磁気センサー２２近傍より遠ざかり、磁気センサー２２が検出できないときを満水として検出できるものである。
【００３７】
また、排水タンク２が所定の位置に正しく収納されていない場合においても、フロート１９に設けられた磁石２１は磁気センサー２２近傍にないため、排水タンク２が所定の位置に収納されていないことが検出できる。
【００３８】
本体１の制御部６は運転操作部３および第１の水位検出手段８、第２の水位検出手段１３、第３の水位検出手段１８からの信号を受けて、運転操作部３に設けられた運転表示部４および制御部６に設けられた音声ガイド装置７に信号を送り、音声ガイド装置７はで排水タンク２の水位または運転操作部３の操作に応じた情報を報知するようになっている。
【００３９】
図５に示すように、本体１には運転操作部３および第１の水位検出手段８、第２の水位検出手段１３、第３の水位検出手段１８からの信号を受け、この本体１を制御するための制御部６が配されており、運転表示部４および音声ガイド装置７で排水タンク２の水位と運転操作部３の操作に応じた情報を報知する構成としている。
【００４０】
上記構成において、図６の除湿運転と音声ガイドの関係を表すフローチャートに沿って説明する。まず運転操作部３を操作し「運転  入」にすると、ステップ１で排水タンク２の貯水量が満水の場合、または排水タンク２の収納が不備である場合、第３の水位検出手段１８により検知され、ステップ２に進み、制御部６により図２に示す運転表示部４の「満水」または「タンクなし」の文字表示のＬＥＤを点灯させる。同時に、ステップ３で音声ガイド装置７により「排水タンクを確認して下さい」と音声で報知される。この音声ガイドにより使用者はＬＥＤ表示だけでは気付かない場合や、ＬＥＤ表示だけでは対応の仕方が不明な場合であっても、排水タンク２を目視確認または手で触れることにより、満水状態であるか、排水タンク２の位置ずれかを簡単に見分けることができる。満水の場合は排水タンク２から水を抜くことにより、また排水タンク２がない場合や位置ずれの場合は、正しい位置に収納することにより、第３の水位検出手段１８は制御部６に信号を送り、ステップ４の除湿運転を開始してから、次のステップに進むようにしている。このように排水タンク２が満水でない場合は、除湿運転が可能であるので、先に除湿運転を開始してから、その後のステップを進めることにより、除湿運転の開始までの待ち時間を短縮することができる。
【００４１】
次にステップ５で、第２の水位検出手段１３により排水タンク２の貯水量が３分の２以上あることが検知されると、ステップ６で音声ガイド装置７により「排水タンクの排水をおすすめします」と案内する音声ガイドが行われ、運転可能な時間が短いことを使用者に知らせることができる。また排水タンク２の貯水量が３分の２未満である場合は、ステップ７に進み、第１の水位検出手段８により排水タンク２の貯水量が３分の１以上あることが検知されると、音声ガイド装置７により「排水タンク内に水が残っています」と案内することにより、除湿運転を長時間行う予定の使用者に対して、運転途中で満水になり停止しないように排水を促すことができる。
【００４２】
次に除湿手段５の運転開始を音声ガイド装置７による案内のあとで行う場合について、図７を図６と比較しながら説明する。図に示すようにステップ１で排水タンク２が満水でない場合、または排水タンク２が正しく収納されている場合は、除湿運転を開始することなくステップ５に進み、ステップ８まで図６と同一の処理がなされる。すなわち、第２の水位検出手段１３または第１の水位検出手段８により所定水位が検出されると、音声ガイド装置７により案内がなされるが、そのあとステップ１０に進み、除湿運転を開始するものである。これにより、先に音声ガイドで運転条件を報知することにより、除湿運転を開始する前に、排水タンクを空にするなどの準備を充分に行えるので、除湿運転を途中で中断することがなく、適正な運転操作を行うことができる。
【００４３】
なお本実施の形態では水位検出手段として貯水量３分の１、３分の２、満水という３段階の水位検出例を示したが、満水および１段階以上の水位検出手段を用いることにより、同様の効果を得ることができる。
【００４４】
また除湿手段５として、図３に示すものは、回転する吸湿材に一方で空気を供給して水分を吸湿させ、他方で吸湿材を加熱して水分を取り出し凝縮させる構成としているが、除湿手段５はコンプレッサを使用する冷凍サイクル方式のものでもよく、本願の除湿装置は除湿手段５で生成した凝縮水を排水タンク２に貯水するものであればよい。
【００４５】
（実施の形態２）
本実施の形態については実施の形態１と同一部分は同一番号を付し、詳細な説明は省略する。図８に示すように、運転操作部３を操作し「運転  入」とすると、ステップ１で排水タンク２が満水ではなく、また排水タンク２が正しく収納されている場合は、ステップ４に進み、除湿運転を開始する。
【００４６】
次にステップ２１で運転操作部３を操作して衣類乾燥の自動停止を選択した場合は自動運転となり、ステップ２２にて第２の水位検出手段１３により排水タンク２の貯水量が３分の２以上あることが検知されると、ステップ２３で制御部６は排水タンク２の貯水量から運転継続可能時間を算出し、ステップ２４にて音声ガイド装置７で「約１時間で運転停止します」のように運転可能時間を報知する。このときステップ２８に進み、「排水をおすすめします」のように、排水タンク２の排水を案内することも可能である。さらにステップ２９に進み、自動運転を継続する。
【００４７】
また、ステップ２２にて第２の水位検出手段１３により排水タンク２の貯水量が３分の２未満であることが検知されると、ステップ２５に進み、第１の水位検出手段８により排水タンク２の貯水量が３分の１以上あることが検知されると、ステップ２６で制御部６は排水タンク２の貯水量から運転継続可能時間を算出し、ステップ２７にて音声ガイド装置７で「約３時間で運転停止します」のように運転可能時間を報知して、ステップ２９で自動運転を継続する。
【００４８】
なお、自動運転とは本体１に設けた室内湿度を検出する湿度センサー（図示せず）の湿度検出値が設定値より低くなると、除湿運転を自動的に停止する運転のことである。
【００４９】
このように自動運転を選択した場合は、排水タンクの水位に応じた運転可能時間を計算して、音声ガイド装置７で運転可能時間を使用者に報知することができ、使用者は乾燥しようとする衣類の量や湿り具合などに対して、適正な運転時間かどうかを判断することができ、運転時間が不足する場合は排水タンクの貯水を捨てることで対処することができる。
【００５０】
次に除湿手段５の運転開始を音声ガイド装置７による案内のあとで行う場合について、図９を用いて説明する。図に示すように、ステップ１で排水タンク２が満水でない場合、または排水タンク２が正しく収納されている場合は、除湿運転を開始することなくステップ２１に進み、ステップ２８まで図８と同一の処理がなされる。
【００５１】
すなわち、除湿手段５の運転開始を音声ガイド装置７による案内のあとで行うことにより、排水タンクを空にするなどの準備を充分にしてから、適正な運転操作を実施することができ、除湿運転を中断するなどの無駄な運転を防止することができる。
【００５２】
（実施の形態３）
図１０に示すように、ステップ１で排水タンク２の貯水量が満水出なく、また排水タンク２が正しく収納されている場合は、ステップ４に進み、除湿運転を開始する。
【００５３】
次にステップ３１で、運転操作部３を操作して衣類乾燥の連続運転または４時間タイマー運転を選択した場合、ステップ３２に進み、第１の水位検出手段８により排水タンク２の貯水量が３分の１以上あることが検知されると、ステップ３３にて音声ガイド装置７で排水タンク２の排水を案内する。
【００５４】
またステップ３２で、排水タンク２の貯水量が３分の１未満であることが検知されたときは、ステップ３４に進み、制御部６は衣類乾燥の連続運転または４時間タイマー運転を開始する。
【００５５】
なお、排水タンク２の容量や除湿能力によっては、貯水量が３分の１以上で３分の２未満であっても、２時間タイマー運転を行うと排水タンク２が満水になることもあるので、本実施の形態ではステップ３１で２時間タイマー運転を選択した場合でも、上記と同様にステップ３３にて音声ガイド装置７で排水タンク２の排水を案内するようにしている。
【００５６】
このように、衣類乾燥運転の連続運転またはタイマー運転を選択した場合は、運転時間が比較的長時間となるので、排水タンクに所定以上の水位があれば、音声ガイドで排水を案内することにより、除湿運転中に満水で停止とならないように予防することができる。
【００５７】
また、衣類乾燥の連続運転またはタイマー運転を選択した場合に限り、第２の水位検出手段１３を使用せず、第１の水位検出手段８により低い水位を検知するようにしているので、制御部６による水位検出処理を速やかに合理的に行うことができる。
【００５８】
また、図１１に示すように除湿手段５の運転開始を音声ガイド装置７による案内のあとで行う構成とした場合は、排水タンクを空にするなどの準備を充分にしてから、適正な運転操作を実施することができ、除湿運転を中断するなどの無駄な運転を防止することができる。
【産業上の利用可能性】
【００５９】
排水タンクの貯水量に応じて使用者に適確な案内を行う音声ガイド装置は、除湿装置を無駄なく有効に使用できるものであり、製氷機、アルカリ水生成機、加湿機などの貯水タンクを備えた商品において、きめ細かな案内を行う用途にも適用できる。
【図面の簡単な説明】
【００６０】
【図１】本発明の実施の形態１の除湿装置本体の外観斜視図
【図２】同運転操作部および運転表示部の拡大図
【図３】同全体構成図
【図４】同排水タンク水位検出手段の構成図
【図５】同ブロック回路図
【図６】同フローチャート
【図７】同、他のフローチャート
【図８】本発明の実施の形態２の除湿装置のフローチャート
【図９】同、他のフローチャート
【図１０】本発明の実施の形態３の除湿装置のフローチャート
【図１１】同、他のフローチャート
【図１２】従来例の除湿装置の操作パネルの拡大図
【図１３】同、他の構成説明図
【符号の説明】
【００６１】
１    本体
２    排水タンク
３    運転操作部
５    除湿手段
６    制御部
７    音声ガイド装置
８    第１の水位検出手段（水位検出手段）
１３  第２の水位検出手段（水位検出手段）
１８  第３の水位検出手段（水位検出手段）
【図１】
2007275698.tif 000003
【図２】
2007275698.tif 000004
【図３】
2007275698.tif 000005
【図４】
2007275698.tif 000006
【図５】
2007275698.tif 000007
【図６】
2007275698.tif 000008
【図７】
2007275698.tif 000009
【図８】
2007275698.tif 000010
【図９】
2007275698.tif 000011
【図１０】
2007275698.tif 000012
【図１１】
2007275698.tif 000013
【図１２】
2007275698.tif 000014
【図１３】
2007275698.tif 000015